(57)【要約】【課題】低コストで、シート収納手段に収納されたシートの、より多くのサイズ検知及び表示が可能なシート給送装置及び画像形成装置を提供する。【解決手段】シートサイズ表示部材１７を、移動手段１８により軸方向に移動し、シート収納手段Ｂのシート収納部７に収納されたシートのサイズに応じて複数の表示列１７ａ，１７ｂのうちの一つの表示列を表示窓１９に臨む位置に移動させる。さらに、シート収納手段Ｂが装置本体に装着された際、装置本体に設けられ、シート収納部７に収納されたシートのサイズを検知するための第１及び第２スイッチ部１２ａのオン・オフに基づいてシート収納手段Ｂに収納されたシートのサイズを検知する。【選択図】図４
2007217121.tif 000002
【特許請求の範囲】
【請求項１】
シートを収納するシート収納部及び前記シート収納部に収納されたシートのサイズを表示する表示窓を有し、装置本体に着脱可能に装着されるシート収納手段と、前記シート収納手段に収納されたシートを給送するシート給送手段とを備えたシート給送装置において、
前記シート収納手段に設けられた軸に、軸方向に移動可能で、かつ一体的に回転可能に保持されたシートサイズ表示部材と、
前記シートサイズ表示部材の表面に並設され、回転方向に同一系列のシートサイズ指標が記載されたシートサイズ表示部を有する複数の表示列と、
前記シート収納部に収納されたシートのサイズに応じて前記複数の表示列のうちの一つの表示列を前記表示窓に臨む位置に移動させるよう前記シートサイズ表示部材を軸方向に移動させるための移動手段と、
前記装置本体に設けられ、前記シート収納手段に収納されたシートのサイズを検知する複数のスイッチと、
前記軸の一端に設けられ、前記シート収納手段が前記装置本体に装着された際、前記シート収納手段に収納されたシートのサイズに応じて前記複数のスイッチを選択的にオン・オフする押圧手段と、
前記シートサイズ表示部材の端部に設けられ、該シートサイズ表示部材の軸方向の移動に応じて前記スイッチを選択的にオン・オフする第２の押圧手段と、を備え、
前記スイッチからの信号に基づいて前記シート収納部に収納されたシートのサイズを検知することを特徴とするシート給送装置。
【請求項２】
前記シートサイズ表示部材を、前記表示窓に臨む位置に移動した前記表示列の前記シート収納部に収納されたシートのサイズに対応したシートサイズ表示部が前記表示窓に臨む位置に移動するよう前記軸を介して回転させる回転手段を備えたことを特徴とする請求項１記載のシート給送装置。
【請求項３】
前記押圧手段及び前記第２の押圧手段は、前記回転手段の回転に伴って複数のスイッチをオン・オフするカムであることを特徴とする請求項２記載のシート給送装置。
【請求項４】
前記複数のスイッチを、前記シート収納手段が前記装置本体に装着された際、前記軸と平行となる位置に配したことを特徴とする請求項１乃至３のいずれか１項に記載のシート給送装置。
【請求項５】
前記シート収納手段に、側面に前記表示窓を有し、前記回転手段を操作する面と同じ面に補助表示窓を有するカバー部材を設け、
前記シートサイズ表示部材に、前記表示窓より表示される前記表示列と、前記補助表示窓より表示される前記表示列に対応した補助表示列を設けることを特徴とする請求項１乃至４のいずれか１項に記載のシート給送装置。
【請求項６】
画像形成部と、前記画像形成部にシートを給送する請求項１乃至５のいずれか１項に記載のシート給送装置とを備えたことを特徴とする画像形成装置。
【発明の詳細な説明】
【技術分野】
【０００１】
本発明は、シート給送装置及び画像形成装置に関し、シート給送装置及び画像形成装置に設けられるシート収納手段に収納されたシートのサイズを表示する構成及びシートのサイズを検知する構成に関する。
【背景技術】
【０００２】
今日、プリンタや複写機等の画像形成装置においては、シート給送装置により画像形成部にシートを給送して画像を形成するようにしたものが広く普及している。そして、このようなシート給送装置では、例えばシートのセット及び交換を容易にするために装置本体にシート収納手段である給紙カセットを着脱自在に装着し、給紙カセットに収納されたシートをシート給送手段により画像形成部に給送するようにしている。
【０００３】
ここで、このようなシート給送装置に用いられる給紙カセットとしては、同一のカセットで各種サイズのシートを収納することのできるユニバーサルカセットがある。そして、このようなユニバーサルカセットにおいては、側端規制部材によってシートの側端を規制し、後端規制部材によって後端を規制して、シートの先端位置を常に所定の位置に設定するようにしている。これにより、シート給送装置は、シートのサイズに拘らず、安定したシートの給送を行うことができる。
【０００４】
一方、このようなユニバーサルカセットを備えたシート給送装置においては、収納されたシートのサイズを画像形成装置本体に設けられた制御部に伝えるためのシートサイズ検知部を備えているものがある（例えば、特許文献１参照）。
【０００５】
図９は、このような従来のシートサイズ検知部を示すものである。このシートサイズ検知部は、図９の（ａ）に示すように、カセット本体５１に回転可能に軸支された複数のカム５２と、カセット本体５１に回動可能に軸支されると共にそれぞれ複数のカム５２と当接するようカム側に付勢された複数のレバー５０を備えている。また、このシートサイズ検知部は、カム５２と同軸上に設けられ、カセット本体上面からカム５２を回転させる操作を行うためのツマミ５３を備えている。
【０００６】
また、５５はツマミ５３に連動して回転するサイズ表示部材であり、このサイズ表示部材５５にはシートサイズが記載されている複数のシートサイズ表示部を備えた表示列が設けられている。そして、ツマミ５３を回転させると、このサイズ表示部材５５と一体に表示列も回転し、これによりシートサイズに対応した表示列のシートサイズ表示部がカセット本体５１に設けた表示窓５１ａに表示される。
【０００７】
そして、カセット本体５１にシートをセットした際には、セットしたシートのサイズに応じたシートサイズ表示部材５５のシートサイズ表示部が表示窓５１aに表示されるようにツマミ５３を回転させる。ここで、このようにツマミ５３を回転させると、複数のカム５２のうち図９の（ｂ）に示すように、いくつかのカム５２が回転し、このカム５２の突起部５２ａが、対応するレバー５０のカム当接部５０ａに当接する。これにより、カム５２と当接したレバー５０が回動し、残りのレバー５０はそのままの位置に保持される。
【０００８】
この状態でユニバーサルカセットを装置本体に装着すると、図９の（ｂ）に示すように、装置本体に設けられたセンサ（スイッチ）５４のうち、例えば回動したレバー５０に対応するセンサ５４が動作（オン）する。そして、この動作したセンサ５４の組み合わせにより、シートサイズ表示部で表示したシートのサイズを検知することができる。
【０００９】
【特許文献１】特開平１０−１０９７６３号公報
【発明の開示】
【発明が解決しようとする課題】
【００１０】
しかしながら、近年、一つの画像形成装置で、より多数サイズのシートに画像を形成する要求があり、これに伴い給紙カセットにおいても一個の給紙カセットで、より多数のサイズのシートを収納できるものが求められている。
【００１１】
ところが、既述した従来のシート給送装置及び画像形成装置においては、収納可能なシートサイズを増やした場合、収納したシートサイズを検知するため、例えばカセット本体に設けるカム形状を複雑にしたり、カムを増やしたりする必要がある。或は、カム５２とレバー５０、更にはレバー５０の動作を検知するためのセンサ５４を増加する必要がある。また、収納可能なシートサイズを増やした場合、別な表示機構を設ける必要がある。
【００１２】
つまり、収納可能なシートサイズを増やした場合、新たにシートサイズを検知するための構成及びシートサイズを表示するための構成が必要となり、コストアップを招いてしまう。
【００１３】
そこで、本発明は、このような現状に鑑みてなされたものであり、低コストで、シート収納手段に収納されたシートの、より多くのサイズ検知及び表示が可能なシート給送装置及び画像形成装置を提供することを目的とするものである。
【課題を解決するための手段】
【００１４】
本発明は、シートを収納するシート収納部及び前記シート収納部に収納されたシートのサイズを表示する表示窓を有し、装置本体に着脱可能に装着されるシート収納手段と、前記シート収納手段に収納されたシートを給送するシート給送手段とを備えたシート給送装置において、前記シート収納手段に設けられた軸に、軸方向に移動可能で、かつ一体的に回転可能に保持されたシートサイズ表示部材と、前記シートサイズ表示部材の表面に並設され、回転方向に同一系列のシートサイズ指標が記載されたシートサイズ表示部を有する複数の表示列と、前記シート収納部に収納されたシートのサイズに応じて前記複数の表示列のうちの一つの表示列を前記表示窓に臨む位置に移動させるよう前記シートサイズ表示部材を軸方向に移動させるための移動手段と、前記装置本体に設けられ、前記シート収納手段に収納されたシートのサイズを検知する複数のスイッチと、前記軸の一端に設けられ、前記シート収納手段が前記装置本体に装着された際、前記シート収納手段に収納されたシートのサイズに応じて前記複数のスイッチを選択的にオン・オフする押圧手段と、前記シートサイズ表示部材の端部に設けられ、該シートサイズ表示部材の軸方向の移動に応じて前記スイッチを選択的にオン・オフする第２の押圧手段と、を備え、前記スイッチからの信号に基づいて前記シート収納部に収納されたシートのサイズを検知することを特徴とするものである。
【発明の効果】
【００１５】
本発明のように、シートサイズ表示部材の表面にシートサイズが記載されたシートサイズ表示部をそれぞれ有する複数の表示列を軸方向に並設し、シートのサイズに応じて複数の表示列のうちの一つの表示列を表示窓に臨む位置に移動させる。これにより、低コストで、シート収納手段に収納されたシートの、より多くのサイズ表示が可能となる。
【００１６】
また、シート収納手段が装置本体に装着された際、シートサイズ表示部材の軸方向における位置に応じて第２の押圧手段がスイッチをオン・オフすることより、低コストで、シート収納手段に収納されたシートの、より多くのサイズ検知が可能となる。
【発明を実施するための最良の形態】
【００１７】
以下、本発明を実施するための最良の形態について図面を用いて詳細に説明する。
【００１８】
図１は、本発明の第１の実施の形態に係るシート給送装置を備えた画像形成装置の一例であるレーザビームプリンタの構成を示す図である。
【００１９】
図１において、Ａはレーザビームプリンタ、Ａ１はレーザビームプリンタ本体である。そして、このレーザビームプリンタ本体（以下、プリンタ本体という）Ａ１は、画像形成を行う画像形成部３と、画像形成部３にシートＳを１枚ずつ分離給送するシート給送装置２等を備えている。
【００２０】
ここで、画像形成部３はプロセスカートリッジ３ｂ、転写ローラ６等を備えている。なお、プロセスカートリッジ３ｂは感光ドラム３ａと、これに作用する不図示のプロセス手段（帯電手段、現像手段、クリーニング手段）とを一体に備え、プリンタ本体Ａ１に対して着脱可能になっている。
【００２１】
シート給送装置２は、プリンタ本体Ａ１の下部に設けられたカセット装着部Ａ２に着脱可能に装着されたシート収納部である給紙カセットＢと、給紙カセットＢに収納されたシートＳを給送するシート給送手段であるシート給送ローラ２ａを備えている。
【００２２】
なお、図１において、１はレーザスキャナ、４はシート上の未定着トナー画像を定着する定着ユニットである。また、２ｅ、２ｆは画像が定着されたシートＳをプリンタ本体Ａ１の外に排出するための排紙ローラ対、５は排出されたシートＳを積載する排紙受け部である。１３はレーザビームプリンタＡの動作を制御すると共に、接続されている不図示のパソコン等からの画像信号を画像形成処理する機能を有しているコントローラボードである。
【００２３】
次に、このように構成されたレーザビームプリンタＡの画像形成動作について説明する。
【００２４】
不図示のパソコン等から画像情報が送られると、コントローラボード１３は、この画像情報を処理し、プリント信号を発する。そして、このプリント信号に応じてカセット装着部Ａ２に着脱自在に装着された給紙カセットＢに積載されたシートＳは、シート給送ローラ２ａ及び分離手段２ｂにより１枚ずつに分離されて給送される。
【００２５】
そして、この後、シートＳは搬送ローラ２ｃを経てレジストローラ２ｄに搬送され、このレジストローラ２ｄにより斜行を補正された後、所定のタイミングでプロセスカートリッジ３ｂ内の感光ドラム３ａと転写ローラ６とのニップに送られる。
【００２６】
一方、プリント信号と共に画像情報に基づきレーザスキャナ１からはレーザ光Ｌが感光ドラム上に照射され、このレーザ光Ｌに従って感光ドラム３ａの表面上に潜像が形成される。この後、現像手段により、この潜像に対して摩擦帯電したトナーを転移させて現像することにより、感光ドラム上にトナー画像が形成される。
【００２７】
そして、このようにして感光ドラム上に形成されたトナー画像は、この後、レジストローラ２ｄにより感光ドラム３ａと転写ローラ６とのニップにシートＳが送り込まれた際、転写ローラ６に対する電圧印加によってシートＳに転写される。なお、トナー像を転写した後に感光ドラム３ａに残留したトナーはクリーニング手段によって除去される。
【００２８】
さらに、このようにトナー画像が転写されたシートＳは、定着ユニット４に送られ、定着ユニット４によって加熱加圧されることにより、トナー画像が半永久的に定着される。そして、この後、シートＳは、排紙ローラ対２ｅ，２ｆにより排紙受け部５上に排出される。
【００２９】
ここで、シート給送装置本体を兼ねるプリンタ本体Ａ１に着脱可能に構成したシート収納手段としてのユニバーサルカセットである給紙カセットＢは、給紙カセットＢのシートＳを収納するシート収納部を構成するカセット本体７を備えている。そして、このカセット本体７の内部にはシートＳを積載する圧接板８が回動可能に取り付けられている。なお、この圧接板８は、カセット本体７のシート給送方向下流側の底面に設けられた加圧バネ９により、シートＳをシート給送手段であるシート給送ローラ２ａに圧接させる方向に付勢されている。
【００３０】
また、カセット本体７のシート給送方向後端部にはシート給送方向に移動可能に構成された後端規制部材１０が配置されており、この後端規制部材１０をシートＳの後端部に当接させることにより、シート後端の位置を規制するようにしている。
【００３１】
さらに、カセット本体７のシート給送方向と平行な一方の側端部には、図２に示すようにシートＳの一側端と突き当たる第１サイド規制部材１１ａが配置されている。また、他方の側端部には、シート給送方向と直交する幅方向に移動可能な第２サイド規制部材１１ｂが配置されており、これら２つのサイド規制部材１１ａ，１１ｂによってシートＳの側端部の位置を規制するようにしている。
【００３２】
そして、カセット本体７にシートを収納する際、収納するシートＳのサイズに対応して後端規制部材１０と両サイド規制部材１１ａ，１１ｂを各々移動させ、シートＳの端部の位置を規制するようにしている。
【００３３】
なお、本実施の形態では、シートＳを、サイド規制部材１１ａ，１１ｂにより、シート幅方向中央部を基準とした中央基準で給送するようにしている。このため、カセット本体７の裏面側にピニオンギア１４を回転可能に取り付け、このピニオンギア１４に、サイド規制部材１１ａ，１１ｂと一体的に設けたラック１５ａ，１５ｂをそれぞれ噛合させている。
【００３４】
これにより、両サイド規制部材１１ａ，１１ｂがシート幅方向中央を基準に左右対称で移動することができる。なお、図２の（ａ）はカセット本体７に幅広サイズのシートＳを収納した状態を示し、図２の（ｂ）は幅狭サイズのシートＳを収納した状態を示している。
【００３５】
ところで、このようなカセット本体７にシートＳを収納する際、規制部材１０，１１ａ，１１ｂによりシートＳの端部の位置を規制すると共に、給紙カセットＢをカセット装着部Ａ２に装着する前に、収納されたシートＳのサイズを表示する操作を行う。
【００３６】
次に、給紙カセットＢに収納したシートＳのサイズを表示する構成について説明する。
【００３７】
図３は、給紙カセットＢの斜視図である。図３において、２０はカバー部材であるカセットカバーであり、このカセットカバー２０の前側面には後述するシートサイズ表示部材である表示部材１７を表示するための表示窓１９が設けられている。また、このカセットカバー２０の上面には、後述する回転方向切り換えつまみ２１、軸方向切り換えレバー１８のレバー操作部１８ｄが露出している。
【００３８】
ここで、表示部材１７は、図４に示すように筒状、例えば円筒状の形状を有し、カセット本体７に回転可能に取り付けられた軸である表示軸１６に不図示のスリットを介して軸方向に移動可能で、かつ表示軸１６と一体で回転するように取り付けられている。
【００３９】
一方、表示軸１６の一端部には、プリンタ本体Ａ１のカセット装着部Ａ２に設けられたシートサイズ検知センサ１２の複数のスイッチ１２ａをシートサイズに応じてオン・オフさせるための形状（位相）を有したカム１６ａが取り付けられている。そして、表示部材１７の表面である円周面には、このカム１６ａの形状（位相）に対応して複数のシートサイズ指標が刻印されている。
【００４０】
なお、本実施の形態では、表示部材１７の円周面には、Ｌ系列のシートサイズを表示するシートサイズ表示部を備えた第１表示列１７ａと、Ａ系列のシートサイズを表示するシートサイズ表示部を備えた第２表示列１７ｂとが軸方向に並設されている。即ち、表示部材１７の表面には、回転方向に同一系列のシートサイズ指標が記載されたシートサイズ表示部を有する第１及び第２表示列１７ａ，１７ｂが並設されている。
【００４１】
そして、この第１及び第２表示列１７ａ，１７ｂの一つのシートサイズ表示部を表示窓１９から表示させる事により、カセット本体内に収納したシートＳのサイズの表示が可能となる。
【００４２】
また、表示軸１６の他端部には表示軸１６を介して表示部材１７を回転させる回転手段である回転方向切り換えつまみ２１が固定されている。そして、この回転方向切り換えつまみ２１を回転させることにより、表示軸１６と一体的に表示部材１７が回転し、第１又は第２表示列１７ａ，１７ｂの収納されたシートサイズに応じたシートサイズ表示部が表示窓１９に臨む位置に移動する。
【００４３】
さらに、この回転方向切り換えつまみ２１を回転させることにより、表示軸１６と一体にカム１６ａも回転し、収納されたシートサイズに応じてシートサイズ検知センサ１２の複数のスイッチ１２ａをオン・オフさせる位置に移動する。
【００４４】
なお、回転方向切り換えつまみ２１の外周面端部には、カセット本体７に設けられた弾性変形可能な爪７ａと係合可能な凹部２１ａが回転方向に複数設けられている。そして、回転方向切り換えつまみ２１を、シートサイズに応じたシートサイズ表示部が表示窓１９に臨む位置まで回転させた時、この爪７ａが所定の凹部２１ａに係合することにより、回転方向切り換えつまみ２１がロックされる。これにより、表示部材１７は、第１又は第２表示列１７ａ，１７ｂのシートサイズ表示部によりカセット内に収納したシートサイズを表示する位置に固定される。
【００４５】
また、カセット本体７には、表示部材１７を軸方向に移動させる移動手段である軸方向切り換えレバー１８が回動可能に取り付けられている。なお、軸方向切り換えレバー１８には図５に示す係止部１８ａが設けられ、この係止部１８ａは表示部材１７に設けられた溝１７ｃに嵌るよう配置されている。
【００４６】
そして、このように軸方向切り換えレバー１８を配置することにより、レバー操作部１８ｄを操作して軸方向切り換えレバー１８を回動させると、係止部１８ａが表示部材１７の溝１７ｃを軸方向に押圧し、これにより表示部材１７は軸方向にスライドする。
【００４７】
ここで、このように表示部材１７が軸方向にスライドすると、表示窓１９に臨む第１及び第２表示列１７ａ，１７ｂもスライドし、表示窓１９に表示される同一系列のシートサイズ指標が表示された表示列１７ａ，１７ｂが切り換わる。
【００４８】
なお、軸方向切り換えレバー１８にはカセットカバー内部天面に設けられた不図示の凹部に係合する弾性変形可能な係止部１８ｂ，１８ｃが設けられており、軸方向切り換えレバー１８を回動させると、この係止部１８ｂ，１８ｃが不図示の凹部に係合する。これにより、軸方向切り換えレバー１８がロックされ、表示部材１７も表示列１７ａ，１７ｂを切り換えた位置でロックされる。
【００４９】
そして、このように回転方向切り換えつまみ２１及び軸方向切り換えレバー１８をカセット内に収納したシートサイズに応じた位置にセットし、ロックした後、給紙カセットＢをカセット装着部Ａ２に装着する。
【００５０】
ここで、図４に示すようにカセット装着部Ａ２には、給紙カセットＢが装着された際、表示軸１６と平行となるように配された複数、本実施の形態においては４つのスイッチ１２ａを備えたシートサイズ検知センサ１２が配置されている。
【００５１】
そして、給紙カセットＢをカセット装着部Ａ２に装着すると、カム１６ａの位置（位相）に応じてシートサイズ検知センサ１２の４つのスイッチ１２ａのうち下記の表に示す３つのスイッチＳＷ１〜ＳＷ３がオン（１）、オフ（０）するようになっている。
【００５２】
一方、表示部材１７には第１表示列１７ａが表示窓１９から表示される時に、下記の表に示すスイッチＳＷ０を押す第２の押圧手段としての突起部１７ｄが設けられている。そして、給紙カセットＢをカセット装着部Ａ２に装着すると、このスイッチＳＷ０を表示窓１９から表示される表示列１７ａ，１７ｂに応じて、即ち表示部材１７の位置に応じてオン（１）、オフ（０）させるようにしている。
【００５３】
なお、このシートサイズ検知センサ１２の第１スイッチ部を構成する３つのスイッチＳＷ１〜ＳＷ３及び第２スイッチ部を構成するスイッチＳＷ０のオン・オフ信号は、シートサイズ検知手段であるコントローラボード１３に入力されるようになっている。
【００５４】
そして、コントローラボード１３は、下記の表に示す３つのスイッチＳＷ１〜ＳＷ３及びスイッチＳＷ０のオン（１）、オフ（０）の組み合わせによりシートサイズを検知するようにしている。さらに、このようにシートＳのサイズを検知した後、コントローラボード１３は、検知したシートＳのサイズに応じてシート給送ローラ２ａの回転量、或は画像形成動作の制御を行うようにしている。
【００５５】
ここで、本実施の形態のように、表示窓１９から表示される表示列１７ａ，１７ｂに応じてスイッチＳＷ０をオン（１）、オフ（０）させることにより、下記の表に示すように、より多くのシートのサイズを検知することができる。
【００５６】
【表１】
2007217121.tif 000003
【００５７】
次に、このような構成のシート給送装置２におけるシートサイズ表示操作及びシートサイズ検知動作について説明する。まず、Ａ系列のシートを使用する場合について説明する。
【００５８】
Ａ系列のシートを使用する場合には図４の（ａ）、図５の（ｂ）に示すように、軸方向切換レバー１８を矢印に示すように時計回りに、係止部１８ｂ，１８ｃがロックするまで回転させる。そして、このような切換レバー１８の回転操作に伴い、表示部材１７はカセット本体７の外側方向へスライドし、これにより第２表示列１７ｂ（Ａ系列）が表示窓１９より表示される位置に移動する。
【００５９】
次に、回転方向切り換えつまみ２１を回転させ、第２表示列１７ｂの給紙カセットＢに収納されたシートサイズに合致するシートサイズ表示部が表示されるようにする。なお、このように回転方向切り換えつまみ２１を回転させると、これに伴ってサイズ表示に対応した位置にカム１６ａが移動する。この状態で給紙カセットＢをカセット装着部Ａ２に装着すると、カム１６ａの形状に応じて３つのスイッチＳＷ１〜ＳＷ３（表参照）がオン・オフする。
【００６０】
一方、Ａ系列のシートを使用する場合には、図４の（ｂ）、図５の（ａ）及び（ｃ）に示すように、切換レバー１８を矢印に示すように反時計回りに、係止部１８ｂ，１８ｃがロックするまで回転させる。
【００６１】
そして、このような切換レバー１８の回転操作に伴い、表示部材１７はカセット本体内側方向へスライドし、これにより第１表示列１７ａ（Ｌ系列）が表示窓１９より表示される位置に移動する。さらに、このように表示部材１７が移動すると、表示部材１７に設けられた突起部１７ｄもスイッチＳＷ０（表参照）を押圧する位置に移動する。
【００６２】
次に、回転方向切り換えつまみ２１を回転させ、第１表示列１７ａの給紙カセットＢに収納されたシートサイズに合致するシートサイズ表示部が表示されるようにする。なお、このように回転方向切り換えつまみ２１を回転させると、これに伴ってサイズ表示に対応した位置にカム１６ａが移動する。
【００６３】
この状態で給紙カセットＢをカセット装着部Ａ２に装着すると、カム１６ａの形状に応じて３つのスイッチＳＷ１〜ＳＷ３（表参照）がオン・オフすると共に、表示部材１７に設けられた突起部１７ｄがスイッチＳＷ０（表参照）を押圧してオンする。
【００６４】
このように、表示部材１７の表面に表示列１７ａ，１７ｂを並設し、シートサイズに応じて一つの表示列を表示窓１９に臨む位置に移動させるようにすることにより、低コストで、給紙カセットＢに収納されたシートの、より多くのサイズ表示が可能となる。
【００６５】
また、給紙カセットＢが装着された際、３つのスイッチＳＷ１〜ＳＷ３及びスイッチＳＷ０からの信号に基づいてシートサイズを検知することができる。これにより、シートサイズを検知するためにカセット本体７に設けるセンサを多数にしたり、カム形状を複雑にすることなく、少ない部品点数によってより多くのシートのサイズを検知することが可能となる。この結果、低コストで、給紙カセットＢに収納されたシートの、より多くのサイズ検知が可能となる。
【００６６】
次に、本発明の第２の実施の形態について説明する。
【００６７】
図６は、本実施の形態にかかるシート給送装置に設けられた給紙カセットの斜視図である。なお、図６において、図３と同一符号は、同一又は相当部分を示している。
【００６８】
図６において、２０ａは、カセットカバー２０の回転方向切り換えつまみ２１が露出している同じ面に形成されている補助表示窓である第２表示窓である。そして、表示部材１７には、図７に示すように、表示窓１９より表示される第１表示列１７ａの表示に対応した表示を第２表示窓２０ａにより行うための補助表示列である第３表示列１７ｅが設けられている。また、表示部材１７には、第２表示列１７ｂの表示に対応した表示を第２表示窓２０ａにより行うための補助表示列である第４表示列１７ｆが設けられている。
【００６９】
次に、このような構成のシート給送装置２におけるシートサイズ表示操作及びシートサイズ検知動作について説明する。まず、Ａ系列のシートを使用する場合について説明する。
【００７０】
Ａ系列のシートを使用する場合には図７の（ａ）、図８の（ｂ）に示すように、軸方向切換レバー１８を矢印に示すように時計回りに、係止部１８ｂ，１８ｃがロックするまで回転させる。そして、このような切換レバー１８の回転操作に伴い、表示部材１７はカセット本体７の外側方向へスライドし、これにより第２表示列１７ｂ（Ａ系列）が表示窓１９より表示される位置に、また第４表示列１７ｆが第２表示窓２０ａより表示される位置に移動する。
【００７１】
次に、第２表示窓２０ａから表示される第４表示列１７ｆを見ながら回転方向切り換えつまみ２１を回転させ、第２表示列１７ｂの給紙カセットＢに収納されたシートサイズに合致するシートサイズ表示部が表示されるようにする。なお、このように回転方向切り換えつまみ２１を回転させると、これに伴ってサイズ表示に対応した位置にカム１６ａが移動する。この状態で給紙カセットＢをカセット装着部Ａ２に装着すると、カム１６ａの形状に応じて３つのスイッチＳＷ１〜ＳＷ３がオン・オフする。
【００７２】
一方、Ａ系列のシートを使用する場合には、図７の（ｂ）、図８の（ａ）及び（ｃ）に示すように、切換レバー１８を矢印に示すように反時計回りに、係止部１８ｂ，１８ｃがロックするまで回転させる。
【００７３】
そして、このような切換レバー１８の回転操作に伴い、表示部材１７はカセット本体内側方向へスライドする。これにより、第１表示列１７ａ（Ｌ系列）が表示窓１９より表示される位置に、第１表示列１７ａに対応した第３表示列１７ｅが第２表示窓２０ａにより表示される位置に移動する。さらに、このように表示部材１７が移動すると、表示部材１７に設けられた突起部１７ｄがスイッチＳＷ０（表参照）を押圧する位置に移動する。
【００７４】
次に、第２表示窓２０ａから表示された第３表示列１７ｅを見ながら回転方向切り換えつまみ２１を回転させ、第１表示列１７ａの給紙カセットＢに収納されたシートサイズに合致するシートサイズ表示部が表示されるようにする。なお、このように回転方向切り換えつまみ２１を回転させると、これに伴ってサイズ表示に対応した位置にカム１６ａが移動する。
【００７５】
この状態で給紙カセットＢをカセット装着部Ａ２に装着すると、カム１６ａの形状に応じて３つのスイッチＳＷ１〜ＳＷ３（表参照）がオン・オフすると共に、表示部材１７に設けられた突起部１７ｄがスイッチＳＷ０（表参照）を押圧してオンする。
【００７６】
ここで、本実施の形態のように、回転方向切り換えつまみ２１と同一面上に第２表示窓２０ａを設け、この第２表示窓２０ａに表示された表示をみながら回転方向切り換えつまみ２１を回転させることにより、シートサイズの表示操作性が更に向上する。
【００７７】
なお、これまでの説明においては、画像形成装置の一例として電子写真記録方式により画像を形成するレーザビームプリンタを例示したが、他の記録方式、例えばインクジェット記録方式や熱転写記録方式等により画像を形成するものにも採用することができる。また、本発明にかかるシート給送装置Ｂは、例えば原稿を搬送して読み取る画像読取装置にも採用することができる。
【図面の簡単な説明】
【００７８】
【図１】本発明の第１の実施の形態に係るシート給送装置を備えた画像形成装置の一例であるレーザビームプリンタの構成を示す図。
【図２】上記シート給送装置に設けられた給紙カセットのサイド規制部材の構成を説明する図。
【図３】上記給紙カセットの斜視図。
【図４】上記シート給送装置の給紙カセットに収納されたシートのサイズを表示する操作及びシートサイズを検知する動作を説明する図。
【図５】上記シート給送装置の給紙カセットに収納されたシートのサイズを表示する操作及びシートサイズを検知する動作を説明する他の図。
【図６】本発明の第２の実施の形態に係るシート給送装置に設けられた給紙カセットの斜視図。
【図７】上記シート給送装置の給紙カセットに収納されたシートのサイズを表示する操作及びシートサイズを検知する動作を説明する図。
【図８】上記シート給送装置の給紙カセットに収納されたシートのサイズを表示する操作及びシートサイズを検知する動作を説明する他の図。
【図９】従来の給紙カセットに収納されたシートのサイズを表示する構成及びシートサイズを検知する構成を説明する図。
【符号の説明】
【００７９】
２        シート給送装置
２ａ      シート給送ローラ
３        画像形成部
７        カセット本体
１２      シートサイズ検知センサ
１２ａ    センサスイッチ
１３      コントローラボード
１６      表示軸
１６ａ    カム
１７      表示部材
１７ａ    第１表示列
１７ｂ    第２表示列
１７ｄ    突起部
１７ｅ    第３表示列
１７ｆ    第４表示列
１８      軸方向切り換えレバー
１９      表示窓
２０      カセットカバー
２０ａ    第２表示窓
２１      回転方向切り換えつまみ
Ａ        レーザビームプリンタ
Ａ１      レーザビームプリンタ本体
Ｂ        給紙カセット
Ｓ        シート
ＳＷ０〜ＳＷ３  スイッチ
【図１】
2007217121.tif 000004
【図２】
2007217121.tif 000005
【図３】
2007217121.tif 000006
【図４】
2007217121.tif 000007
【図５】
2007217121.tif 000008
【図６】
2007217121.tif 000009
【図７】
2007217121.tif 000010
【図８】
2007217121.tif 000011
【図９】
2007217121.tif 000012